(57)【特許請求の範囲】
【請求項１】
ミキサーに付設されており、ミキサーから排気される排気ガスを導入する誘導筒を備えたバグフィルタ装置において、上記誘導筒に、排気ガスが流れる風力を利用して回転する羽根と、この羽根の回転に連動して回転する回転刃を備え、上記回転刃が誘導筒の内壁の近傍を作動することを特徴とするバグフィルタ装置。
【請求項２】
上記ミキサーで混合される材料が、水硬性材料であることを特徴とする請求項１記載のバグフィルタ装置。
【請求項３】
上記誘導筒が、排気ガスが流れる貫通孔を形成した円筒状のものであり、この誘導筒の天上部に架設した架設片に上記羽根が取付けられており、上記回転刃が、羽根の先端から垂下して、その回転刃が誘導筒の内壁の近傍に沿って円運動をすることを特徴とする請求項１又は請求項２記載のバグフィルタ装置。
【発明の詳細な説明】
【０００１】
【発明の属する技術分野】
本発明は、ミキサーに付設されており、ミキサーから排気される排気ガスを導入する誘導筒を備えたバグフィルタ装置に関するものである。
【０００２】
【従来の技術】
バグフィルタ装置は、小粒径の粉塵を捕集できるフィルターとして知られている。例えば、セメント系の無機質板の製造工程では、セメントと、フライアッシュやシリカヒューム等の無機質成分、並びに、ポリプロピレン繊維やポリビニルアルコール系合成繊維等の補強繊維をミキサーに投入し、水の存在下で混合・混練を行っている。バグフィルタ装置は、上記ミキサーに付設されて、ミキサーから排気される排気ガス中に含有している粉塵が、系外に放出されないようにしている。
【０００３】
【発明が解決しようとする課題】
このようなバグフィルタ装置にあっては、図４に示すように誘導筒７２の入口７４の内壁７３に粉塵が付着し易い。特に、セメント系の無機質板のように、水を混合した混合物の場合、上記バグフィルタ装置７１に付着した付着物７０は、時間の経過に伴って大きく成長し易く、誘導筒７２の入口７４の排気ガスが通過する面積を狭くしてバグフィルタ装置７１の集塵能力を低下させる恐れがある。
【０００４】
本発明は上記の事情に鑑みてなされたもので、その目的とするところは、粉塵の付着を抑えて、集塵能力の低下を防ぐことのできるバグフィルタ装置を提供することにある。
【０００５】
【課題を解決するための手段】
本発明者は、上記目的を達成するために、鋭意研究を重ねた結果、内壁に付着した付着物が時間とともに成長することを妨害するため、誘導筒の内壁の近傍に回転刃を作動させること、及び、この回転刃の動力として、誘導筒内を流れる排気ガスの風力を利用することで装置の稼動中は常に回転刃を作動させることができることを見出し、本発明の完成に至ったものである。
【０００６】
請求項１記載のバグフィルタ装置は、ミキサーに付設されており、ミキサーから排気される排気ガスを導入する誘導筒を備えたバグフィルタ装置において、上記誘導筒に、排気ガスが流れる風力を利用して回転する羽根と、この羽根の回転に連動して回転する回転刃を備え、上記回転刃が誘導筒の内壁の近傍を作動することを特徴とする。上記によって、バグフィルタ装置の稼動中は、排気ガスの風力で回転する羽根に連動して回転刃が作動するので、この回転刃が誘導筒の内壁に付着した付着物が所定の長さ以上に成長することを抑えるため、付着物で誘導筒の入口が塞がることを防ぐことができるものである。また、上記バグフィルタ装置は、誘導筒内を流れる排気ガスの風力を回転刃の動力として利用するので、装置の稼動とともに、回転刃を作動させることができるものである。
【０００７】
請求項２記載のバグフィルタ装置は、請求項１記載のバグフィルタ装置において、上記ミキサーで混合される材料が、水硬性材料であることを特徴とする。上記によって、ミキサーで混合される材料が、誘導筒の内壁に付着して増大し易い水硬性材料であっても、付着物で誘導筒の入口が塞がれることを抑えることができるものである。
【０００８】
請求項３記載のバグフィルタ装置は、請求項１又は請求項２記載のバグフィルタ装置において、上記誘導筒が、排気ガスが流れる貫通孔を形成した円筒状のものであり、この誘導筒の天上部に架設した架設片に上記羽根が取付けられており、上記回転刃が、羽根の先端から垂下して、その回転刃が誘導筒の内壁の近傍に沿って円運動をすることを特徴とする。上記によって、回転刃が内壁の近傍に沿って円運動をするので、バグフィルタ装置の稼動中は、回転刃が誘導筒の内壁に付着した付着物の成長を妨害するため、付着物で誘導筒の入口が塞がれることを防ぐことができるものである。
【０００９】
【発明の実施の形態】
図１〜３は、本発明に係るバグフィルタ装置の実施の形態の一例を示し、図１は概略断面図、図２は装置内部を説明した斜視図、図３はバグフィルタ装置を採用したミキサーの一例を示す概略図である。
【００１０】
上記バグフィルタ装置は、小粒径の粉塵を捕集できるフィルターである。上記バグフィルタ装置は、ミキサー１１付設されて、ミキサー１１から排気される排気ガス中に含有している粉塵が、系外に放出されないようにしている。
【００１１】
上記バグフィルタ装置を採用したミキサーの一例を、図３に基づいて説明する。上記ミキサー１１は、セメント系の無機質板の製造工程に備えられたものである。セメント系の無機質板は、セメントと、フライアッシュやシリカヒューム等の無機質成分、並びに、ポリプロピレン繊維やポリビニルアルコール系合成繊維等の補強繊維をミキサー１１に投入し、水の存在下で混合・混練を行う。上記ミキサー１１は、セメント投入口１４、無機質成分投入口１５、水投入口１６、及び、補強繊維の供給器１７を備えている。セメントは、計量した後にセメント投入口１４よりミキサー１１内に落下投入され、フライアッシュやシリカヒューム等の無機質成分は、計量した後に無機質成分投入口１５よりミキサー１１内に落下投入され、水は計量した後に水投入口１６より投入される。ポリプロピレン繊維やポリビニルアルコール系合成繊維等の補強繊維は、体積が大きくて軽いため、繊維材料ストック１９から取出して計量した後に、プレートファン１８を回して空気輸送によって供給器１７に供給し、この風量（風圧）を利用してミキサー１１内に投入する。
【００１２】
上記ミキサー１１は、室内にモータ１３で稼動する攪拌器１２を備えている。また、上記ミキサー１１は、その天上部分にバグフィルタ装置１が付設されており、上記バグフィルタ装置１に延設して設けられている吸引器（図では省略）によってミキサー１１から排気される排気ガスを誘導筒２に導入している。なお、図中の矢印は、各材料の供給される方向、及び、バグフィルタ装置１の上方の矢印は、排気ガスの流れ方向を示す。また、上記排気ガスは、水分を含んだ粉塵を含有したものである。
【００１３】
上記ミキサー１１に投入された材料は、混合・混練されて無機質板材料が得られる。その後、無機質板材料は、プレス脱水工程等に搬送され、無機質板が製造される。
【００１４】
上記バグフィルタ装置１は、装置内であって、上記ミキサー１１から排気ガスが導入される入口４に、誘導筒２を備える。上記誘導筒２は、貫通孔を形成した円筒状のものであり、この貫通孔を排気ガスが流れていく。上記誘導筒２は、入口４の側に、フィルタ体１０を取付ける環状の台９を具備している。上記バグフィルタ装置１は、誘導筒２の天上周縁部２ａに架設した架設片５を備える。上記架設片５は、平面視で円形の誘導筒２の中心である中心点に軸８を備え、この軸８を中心に回転する羽根６が取付けられている。上記羽根６は、誘導筒２内を流れる排気ガスの風力で回転することができる。上記羽根６は、その先端が、誘導筒２の内壁３の近傍にまで延びている。そして、上記羽根６は、その先端に回転刃７を備えている。上記回転刃７は、羽根６の先端から垂下して、その下端は誘導筒２の入口４より下方にまで達している。上記回転刃７は、羽根６に連動して誘導筒２の内壁３の近傍に沿って円運動をすることができる。
【００１５】
上記バグフィルタ装置１は、誘導筒２内を流れる排気ガスの風力を羽根６の動力として利用するので、装置の稼動とともに、羽根６を回転することができる。したがって、上記バグフィルタ装置１は、回転刃７が羽根６の回転に連動しているので、装置の稼動とともに、回転刃７を作動することができる。
【００１６】
そして、上記バグフィルタ装置１は、上記回転刃７が誘導筒２の内壁３の近傍を作動するので、この回転刃７が誘導筒２の内壁３に付着する付着物が成長することを妨害するものである。すなわち、粉塵等が内壁３に付着した付着物は、時間とともにより増大しようしても、内壁３の近傍を回転刃７が作動しているので、回転刃７に付着物が接触して、掻き落とされて、回転刃７が通過するところより内側に成長することができないものである。
【００１７】
上記回転刃７は、内壁３に付着した付着物が成長するのを防ぐ機能を有するものであれば、その形状等を制限されるものではない。上記回転刃７は、その材質として、排気ガスの風力で刃先がばたついたり、折れたりすることがない程度の強度を有しているものが望まれる。
【００１８】
上記バグフィルタ装置１は、回転刃７が誘導筒２の内壁３に付着する付着物が成長することを防止するので、付着物で誘導筒２の入口４が塞がれることを抑えるため、集塵能力が低下することを防ぐことのできるものである。特に、上記バグフィルタ装置１は、ミキサー１１で混合される材料が、セメント等の水硬性材料の場合、顕著に効果を発現することができるものである。
【００１９】
【発明の効果】
本発明のバグフィルタ装置は、上記回転刃が誘導筒の内壁の近傍を作動するので、この回転刃が誘導筒の内壁に付着する付着物が成長することを妨害するものである。その結果、上記バグフィルタ装置は、付着物で誘導筒の入口が塞がれることを抑えることができるので、集塵能力の低下を防ぐことのできるものである。
【００２０】
また、上記バグフィルタ装置は、誘導筒内を流れる排気ガスの風力を回転刃の動力として利用するので、装置の稼動とともに、回転刃を作動させることができるため、別途駆動装置を必要とせず、構造が簡単であり、省エネルギーを実現できるものである。
【図面の簡単な説明】
【図１】本発明の実施の形態の一例を示した概略断面図である。
【図２】同上の装置内部を説明した斜視図である。
【図３】同上のバグフィルタ装置を採用したミキサーの一例を示す概略図である。
【図４】従来の一例を示した概略断面図である。
【符号の説明】
１      バグフィルタ装置
２      誘導筒
３      内壁
４      入口
５      架設片
６      羽根
７      回転刃
１１    ミキサー
【図１】
0003598079.tif 000002
【図２】
0003598079.tif 000003
【図３】
0003598079.tif 000004
【図４】
0003598079.tif 000005